(57)【特許請求の範囲】
【請求項１】
水を加熱し、湯にする加熱装置と、前記加熱装置の湯水を循環する循環ポンプと、前記循環ポンプにより湯水を搬送する配管と、前記配管から搬送される湯を上方より貯え、温度積層状に貯湯し、側面が円筒状の貯湯タンクと、前記貯湯タンク内に配設され、本体部の側方から、前記貯湯タンク内の径方向に湯を流入する噴出手段とを備え、前記噴出手段は、流路上流側と下流側とに拡散穴部を有し、前記流路上流側の拡散穴部の開口面積の方が、前記流路下流側の拡散穴部の開口面積より大きいことを特徴とする貯湯式給湯機。
【請求項２】
噴出手段を、貯湯タンク内の上方に配設したことを特徴とした請求項１に記載の貯湯式給湯機。
【請求項３】
噴出手段は、本体部の先端開口部を閉止する蓋部と、前記本体部と前記蓋部とを固定し連結する固定ピンとを有することを特徴とする請求項１または２記載の貯湯式給湯機。
【請求項４】
噴出手段の本体部に配設された流路上流側の拡散穴部を、ラッパ形状にしたことを特徴とする請求項１〜３のいずれか１項に記載の貯湯式給湯機。
【請求項５】
噴出手段の本体部の先端開口部を閉止する蓋部を備え、前記本体部と前記蓋部とを、成型材質を用いて形成したことを特徴とする請求項１〜４のいずれか１項に記載の貯湯式給湯機。
【請求項６】
噴出手段の固定ピンは、Ｃ型形状で弾性を有する材質で形成したことを特徴とする請求項３に記載の貯湯式給湯機。
【発明の詳細な説明】
【技術分野】
【０００１】
本発明は、貯湯タンク内に湯水を流入する噴出手段を有する貯湯式給湯機に関するものである。
【背景技術】
【０００２】
図６（ａ）、（ｂ）に示すように、従来の噴出手段１の構造は、湯水を流入する配管部２と、本体部３と、拡散部４からを形成されており、シール部材５で貯湯タンク（図示せず）との接続部の気密性を保持している。
【０００３】
また、図７（ａ）、（ｂ）に示すように、の拡散部４の構造には、断面ａーａ部の拡散穴４ａと断面ｂーｂ部の拡散穴４ｂに複数の拡散穴が形成され、加熱装置（図示せず）によって作られた湯を貯湯タンク（図示せず）内へ流入され、噴出手段１によりお湯を半径方向に拡散し、貯めるようにしている。
【０００４】
また、噴出手段１の構造は、配管部２と本体３は、ロウ付けにより溶接され、拡散部４は、本体部３と機械的にカシメ加工され接続する構成になっている（例えば、特許文献１参照）。
【特許文献１】特開２００１―２３７６５９号公報
【発明の開示】
【発明が解決しようとする課題】
【０００５】
加熱装置によって作られた湯を貯める貯湯タンク内の拡散部４は、１ｍｍ以下の薄板絞り加工でしか形成できないため、湯を拡散する部分の肉厚が薄いために、拡散力が弱く、貯湯タンク内へ流入される湯が、半径方向へ面状均一になる難く、貯湯タンク全体を高温積層に貯湯し難にくくなるため、貯湯タンク全体の熱容量を減少するので、エネルギー効率が悪化し、電気代が高くなってしまうことや、部品構成が湯水にさらされるため、耐腐食性金属の高価な材質を使うことや、板金絞り、切削加工精度が難しく、接続加工にも溶接やカシメ加工を施すためコストが高価になってしまい、大量生産に不向きな噴出手段の構造になってしまうという課題を有していた。
【０００６】
本発明は、前記従来の課題を解決するものであり、噴出手段の構造を簡素化し、貯湯タンクに貯める湯の拡散性を向上することで、貯湯タンク全体を高温積層に湯を貯めるため、貯湯タンク全体の熱容量を向上できるので、エネルギー効率も向上でき、電気代も安くすむ、安価な噴出手段を有する貯湯式給湯機を提供することを目的とする。
【課題を解決するための手段】
【０００７】
前記従来の課題を解決するために、本発明の噴出手段は、水を加熱し、湯にする加熱装置と、前記加熱装置の湯水を循環する循環ポンプと、前記循環ポンプにより湯水を搬送する配管と、前記配管から搬送される湯を上方より貯え、温度積層状に貯湯し、側面が円筒状の貯湯タンクと、前記貯湯タンク内に配設され、本体部の側方から、前記貯湯タンク内の径方向に湯を流入する噴出手段とを備え、前記噴出手段は、流路上流側と下流側とに拡散穴部を有し、前記流路上流側の拡散穴部の開口面積の方が、前記流路下流側の拡散穴部の開口面積より大きいことを特徴とする。
【０００８】
これによって、噴出手段の構造を簡素化し、貯湯タンクに貯める湯の径方向の拡散性を向上することで、貯湯タンク全体の熱容量を向上し、エネルギー効率も向上でき、安価な噴出手段を有する貯湯式給湯機を提供することができる。
【発明の効果】
【０００９】
本発明の貯湯式給湯機は、噴出手段の構造を簡素化し、貯湯タンクに貯める湯の径方向の拡散性を向上することで、貯湯タンク全体の熱容量を向上し、エネルギー効率も向上でき、安価な噴出手段を有する貯湯式給湯機を提供することができる。
【発明を実施するための最良の形態】
【００１０】
第１の発明の貯湯式給湯機は、水を加熱し、湯にする加熱装置と、前記加熱装置の湯水を循環する循環ポンプと、前記循環ポンプにより湯水を搬送する配管と、前記配管から搬送される湯を上方より貯え、温度積層状に貯湯し、側面が円筒状の貯湯タンクと、前記貯湯タンク内に配設され、本体部の側方から、前記貯湯タンク内の径方向に湯を流入する噴出手段とを備え、前記噴出手段は、流路上流側と下流側とに拡散穴部を有し、前記流路上流側の拡散穴部の開口面積の方が、前記流路下流側の拡散穴部の開口面積より大きいことにより、貯湯タンクに貯める湯の径方向の拡散性を向上することができる。
【００１１】
第２の発明の貯湯式給湯機の噴出手段は、貯湯タンク内の上方に配設したことにより、貯湯タンク内に貯める湯が確実に積層を形成することができる。
【００１２】
第３の発明の貯湯式給湯機の噴出手段は、本体部の先端開口部を閉止する蓋部と、前記本体部と前記蓋部とを固定し連結する固定ピンとを有することにより、確実に前記本体部と前記蓋部は、固定することができる。
【００１３】
第４の発明の貯湯式給湯機の噴出手段の本体部に配設された流路上流側の拡散穴部を、ラッパ形状にしたことにより、貯湯タンクへ流入する湯の径方向の拡散力を向上することができる。
【００１４】
第５の発明の貯湯式給湯機の噴出手段の本体部の先端開口部を閉止する蓋部を備え、前記本体部と前記蓋部とを、成型材質を用いて形成したことにより、複雑な形状も簡単に形成することができる。
【００１５】
第６の発明の貯湯式給湯機の噴出手段の固定ピンは、Ｃ型形状で弾性を有する材質で形成したことにより、貯湯タンク内の湯水にさらされ、熱収縮による樹脂部の割れや抜けを防止することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における噴出手段を有する貯湯式給湯機の構成図である。図１において、水を加熱し、湯にする加熱装置１と、前記加熱装置１の湯水を循環する循環ポンプ３と、前記循環ポンプ３により湯水を搬送する配管４と、前記配管４から搬送される湯水を切り替える三方弁５と、前記三方弁５により湯水を貯える貯湯タンク２とを備え、前記貯湯タンク２内に湯水を半径方向へ面状均一に流入する噴出手段６を配設されている。また、噴出手段６は、貯湯タンク２内の上方と下方に複数は配設されている。
【００１８】
図３〜５は、本発明の実施の形態１における噴出手段の構成図である。図３〜４において噴出手段６は、本体部６ａと、前記本体部６ａの開口部を閉止する蓋部６ｂと、前記本体部６ａと前記蓋部６ｂを固定し連結する固定ピン６ｃで構成され、加熱装置により、加熱された湯を供給する配管４ｃと噴出手段６は、配管４ｃの凸部４ｄに連結ピン７により軸方向を拘束され、固定されている。また、配管４ｃにシール部材８を配設され、シール部材８ａで貯湯タンク２との接続部の気密性を保持している。
【００１９】
また、噴出手段６の本体部６ａには、拡散穴部６ｄ、拡散穴部６ｅが複数設けられ、前記拡散穴６ｄの１部をラッパ形状に配設されている。また、噴出手段６の本体部６ａと蓋部６ｂは、成型材質を用いられている。また、噴出手段６の固定ピン６ｃは、Ｃ型形状で弾性を有した材質を用いられている。
【００２０】
以上のように構成された噴出手段を有する貯湯式給湯機に関して、貯湯式給湯機の動作および作用を説明する。
【００２１】
まず、図１〜５において、利用者が制御手段（例えばリモコン図示なし）により、設定温度に湯水を沸き上げる指示を出す。次に、水を加熱し、お湯にする加熱装置１は、貯湯タンク５から湯水を循環ポンプ３により、配管４を介して加熱装置１へと供給され、加熱装置内で加熱され、水からお湯に変え配管４ａを介して、三方弁５に到達する。この時、加熱装置１に加熱されたお湯が、利用者の設定した湯温に達していない時は、三方弁５により、配管４ｂを介して、貯湯タンク２の下方に循環され、噴出手段６の拡散穴部６ｄと拡散穴部６ｅにより、半径方向に３６０°面状均一に噴出し流入される。
【００２２】
次に図２〜５において、加熱装置が湯水を設定温度まで上昇できたら、三方弁５は、配管４ｃを介して貯湯タンク２の上方へ循環され、噴出手段６の拡散穴部６ｄと拡散穴部６ｅにより、円周方向に３６０°面状均一に噴出し流入される。流入された湯は、貯湯タンク内に積層状態で湯を貯めることができる。積層に湯を貯めることで、水と混ざることなく高温のお湯を保てるので、熱容量も大きく保てエネルギー効率も向上するので電気代が安くなる。
【００２３】
また、図３より、噴出手段６は、本体部６ａと蓋部６ｂを成型材質にしたことにより、形状を自由に形成でき、簡単な構造で、対腐食性もなく安価な材質を選択できる。また、図４より、貯湯タンク１内に高温の湯が貯めているので、噴出手段６の固定ピン６ｃは、高温の湯にさらされるので、熱収縮に強いＣ型形状で弾性を有した材料により、熱応力を緩和できるので、成型材質の割れ、抜けに対して効果があり、固定ピン６ｃの長さも、本体部６ａの横幅より、必ず小さい寸法にすることで、噴出手段６の本体部６にシール部材８ａを嵌める時に傷つけないようにしている。
【００２４】
また、図５（ａ）噴出手段６の本体部６ａのｄーｄ断面部の拡散穴部６ｄは、ラッパ形状を形状しているので、さらに貯湯タンク内に流入した湯を３６０°半径方向へ拡散でき、図５（ｂ）噴出手段６の本体部６ａのｅーｅ断面部の拡散穴部６ｅにより、３６０°方向に隙間の部分の湯を噴出しているので、確実に貯湯タンク１内を高温の湯に水が混ざることがなく積層に湯を貯めることができる。
【産業上の利用可能性】
【００２５】
以上のように、本発明にかかる貯湯式給湯機は、噴出手段の構造を簡素化し、貯湯タンクに貯める湯の径方向の拡散性を向上することで、貯湯タンク全体の熱容量を向上し、エネルギー効率も向上できるので、電気代が安く済む。また、電気ヒーター式加熱装置を利用した貯湯式給湯機に広く適用することができる。
【図面の簡単な説明】
【００２６】
【図１】本発明の実施の形態１における貯湯式給湯機の構成図
【図２】本発明の実施の形態１における貯湯式給湯機の他の状態の構成図
【図３】本発明の実施の形態１における噴出手段の構成図
【図４】（ａ）本発明の実施の形態１における噴出手段の断面図（ｂ）同噴出手段の本体部の固定ピン挿入の局部断面図
【図５】（ａ）図３のｄーｄ断面図（ｂ）図３のｅーｅ断面図（ｃ）本発明の実施の形態１における拡散穴部の矢視図
【図６】（ａ）従来の貯湯式給湯機の噴出手段の構成図（ｂ）従来の貯湯式給湯機の噴出手段の断面図
【図７】（ａ）図６（ａ）のａーａ断面図（ｂ）図６（ａ）のｂーｂ断面図
【符号の説明】
【００２７】
１    加熱装置
２    貯湯タンク
３    循環ポンプ
４    配管
４ａ  配管
４ｂ  配管
４ｃ  配管
５    三方弁
６    噴出手段
【図１】
0005194604.tif 000002
【図２】
0005194604.tif 000003
【図３】
0005194604.tif 000004
【図４】
0005194604.tif 000005
【図５】
0005194604.tif 000006
【図６】
0005194604.tif 000007
【図７】
0005194604.tif 000008